(57)【特許請求の範囲】
【請求項１】
入力された、番組データを識別するための番組情報及びダイジェストデータを抽出するためのダイジェスト情報を含む伝送制御データが付加され、多重符号化された受信データのパケットデータからパケットヘッダを抽出するヘッダ抽出手段と、所望する複数の番組及びそれら番組の各々のダイジェストデータの録画を指定する複数番組ダイジェスト録画指定手段と、その複数番組ダイジェスト録画指定手段の指定に基づいて、前記付加された伝送制御データの前記番組情報及びダイジェスト情報を復号する伝送制御データ復号手段と、その復号された番組情報及びダイジェスト情報と前記抽出されたパケットヘッダとを比較する比較手段と、その比較の結果、前記番組情報及びダイジェスト情報が前記パケットヘッダと一致する場合は、前記パケットデータを通過させるゲートと、そのゲートを通過したパケットデータを一時格納するバッファと、前記伝送制御データ復号手段からの番組情報に基づいて、前記バッファに格納されたパケットデータを番組毎に選別するパケット選別手段と、その選別されたパケットデータを番組毎に分別して記録する記録手段とを備えたことを特徴とするダイジェストデータ記録装置。
【請求項２】
前記記録手段は、入力されるパケットデータを復号する復号器と、その復号されたディジタルデータをアナログデータに変換するＤ／Ａ変換器と、その変換されたアナログデータを記録する記録部とを有することを特徴とする請求項１記載のダイジェストデータ記録装置。
【請求項３】
入力された、番組データを識別するための番組情報及びダイジェストデータを抽出するためのダイジェスト情報を含む伝送制御データが付加され、多重符号化された受信データのパケットデータからパケットヘッダを抽出するヘッダ抽出手段と、所望する番組の録画を指定する番組録画指定手段と、前記所望する番組のダイジェストデータの録画を指定するダイジェスト録画指定手段と、前記番組録画指定手段の指定に基づいて、前記付加された伝送制御データの前記番組情報及びダイジェスト情報を復号する伝送制御データ復号手段と、その復号された番組情報と前記抽出されたパケットヘッダとを比較する比較手段と、その比較の結果、前記番組情報が前記パケットヘッダと一致する場合は、前記パケットデータを通過させる第１のゲートと、その第１のゲートを通過したパケットデータを記録する第１の記録手段と、前記ダイジェスト録画指定手段の指定により、前記伝送制御データ復号手段で復号されたダイジェスト情報から、前記ダイジェストの録画時間を抽出するダイジェスト録画時間抽出手段と、その抽出されたダイジェストの録画時間に基づいて、前記第１のゲートを通過したパケットデータを通過させる第２のゲートと、その第２のゲートを通過したパケットデータを記録する第２の記録手段とを備えたことを特徴とするダイジェストデータ記録装置。
【請求項４】
入力された、番組データを識別するための番組情報及びダイジェストデータを抽出するためのダイジェスト情報を含む伝送制御データが付加され、多重符号化された受信データのパケットデータからパケットヘッダを抽出するヘッダ抽出手段と、所望する番組の録画を指定する番組録画指定手段と、前記所望する番組のダイジェストデータの録画を指定するダイジェスト録画指定手段と、前記番組録画指定手段の指定に基づいて、前記付加された伝送制御データの前記番組情報及びダイジェスト情報を復号する伝送制御データ復号手段と、その復号された番組情報と前記抽出されたパケットヘッダとを比較する比較手段と、その比較の結果、前記番組情報が前記パケットヘッダと一致する場合は、前記パケットデータを通過させるゲートと、そのゲートを通過したパケットデータを記録する記録手段と、前記ダイジェスト録画指定手段の指定により、前記伝送制御データ復号手段で復号されたダイジェスト情報から、前記ダイジェストの録画時間を抽出するダイジェスト録画時間抽出手段と、その抽出されたダイジェストの録画時間を時系列に沿って蓄積する録画時間蓄積手段と、その蓄積されたダイジェストの録画時間に基づいて、前記記録手段に記録されたパケットデータからダイジェストデータを抽出するダイジェスト抽出手段とを備えたことを特徴とするダイジェストデータ記録装置。
【請求項５】
入力された、番組データを識別するための番組情報及びダイジェストデータを抽出するためのダイジェスト情報を含む伝送制御データが付加され、多重符号化された受信データのパケットデータからパケットヘッダを抽出するヘッダ抽出手段と、所望する番組の録画を指定する番組録画指定手段と、前記所望する番組のダイジェストデータの録画を指定するダイジェスト録画指定手段と、前記番組録画指定手段の指定に基づいて、前記付加された伝送制御データの前記番組情報及びダイジェスト情報を復号する伝送制御データ復号手段と、その復号された番組情報と前記抽出されたパケットヘッダとを比較する比較手段と、その比較の結果、前記番組情報が前記パケットヘッダと一致する場合は、前記パケットデータを通過させる第１のゲートと、その第１のゲートを通過したパケットデータを一時蓄積するパケット蓄積手段と、前記ダイジェスト録画指定手段の指定により、前記伝送制御データ復号手段で復号されたダイジェスト情報から、前記ダイジェストの録画時間を抽出するダイジェスト録画時間抽出手段と、その抽出されたダイジェストの録画時間を調整する録画時間調整手段と、その調整されたダイジェストの録画時間に基づいて、前記パケット蓄積手段に蓄積されたパケットデータを通過させる第２のゲートと、その第２のゲートを通過したパケットデータを記録する記録手段とを備えたことを特徴とするダイジェストデータ記録装置。
【請求項６】
請求項１〜５のいずれかの前記ダイジェストデータ記録装置を備えたことを特徴とするディジタル放送受信装置。
【発明の詳細な説明】
【０００１】
【発明の属する技術分野】
本発明は、衛星放送や地上放送などにおけるディジタル放送で利用される受信番組のダイジェスト版のデータを記録できるダイジェストデータ記録装置に関するものである。
【０００２】
【従来の技術】
従来の一般的なディジタル放送システムの構成を図７に示す。図７において、送信側では、符号化部７０１により映像、音声、各種のデータが圧縮されて符号化され、その圧縮符号化されたそれぞれのデータは多重化部７０２により多重化される。その後、多重化されたデータは誤り訂正符号化部７０３により誤り訂正符号が付加され、変調部７０４で変調されて衛星放送、地上放送、あるいはケーブル放送として送信される。一方、受信側では、衛星放送、地上放送、あるいはケーブル放送で受信した多重化データを復調部７１１で復調し、誤り訂正復号部７１２で誤り訂正した後、分離部７１３に送る。復調された多重化データは分離部７１３により映像、音声、各種データに分離され、復号部７１４で各々のデータに復号されて、それら各データに対応した出力装置、例えばディスプレイ、スピーカ、プリンターなどに出力される。
【０００３】
このようなディジタル放送システム（特に、ＩＳＤＢ：ｉｎｔｅｇｒａｔｅｄ  ｓｅｒｖｉｃｅ  ｄｉｇｉｔａｌ  ｂｒｏａｄｃａｓｔｉｇ）では、多種多様なサービス、番組が多重化されて伝送されてくるが、その中からユーザが所望するサービス、番組を効率よく抽出する機能が要求される。パケット伝送では、多重化された各サービスのパケットが受信側で効率よく分離できるように、パケットヘッダにはパケット識別子（以後、ＰＩＤと略称する）を含んでおり、このＰＩＤを利用してパケットを識別する方法として、直接指定方式と間接指定方式とがある。
【０００４】
直接指定方式では、サービス、番組とＰＩＤとの関係が直接規定されており、システム内で識別すべきサービス、番組の数が少なく、固定されている場合に適している。また、間接指定方式では、サービス、番組とＰＩＤとの関係が別途伝送される伝送制御データにより間接的に規定され、識別すべきサービス、番組の数が多く（固定的に割り当てるとＰＩＤに必要なビット数が多くなる）、将来の拡張性を考慮する必要がある場合などに適している。
【０００５】
図８は、前述のディジタル放送システムにおける間接指定方式に適用される伝送制御を説明するためのブロック図である。図８において、番組の映像、音声、各種データは、符号化部８０１で符号化され、必要により圧縮される。圧縮符号化されたデータは、パケット化部８０２で多重化伝送に適した一定のデータ長に区切られ、パケットヘッダを付加して１８８バイトの固定長の伝送パケットに構成される。各伝送パケットは、パケット多重化部８０３によりパケット単位で時分割多重され、そのとき、伝送制御部８０４からの伝送制御データも多重化される。パケット多重化されたデータは誤り訂正符号化部８０５で誤り訂正符号が付加されて変調部に出力される。一方、受信側では、受信されて復調されたパケットデータは、パケットバッファ８１１に一時格納されるとともに、各パケットに付加されたパケットヘッダはヘッダ抽出部８１２で抽出され、また、ユーザからの番組情報の指定に基づき、その指定に対応する伝送制御データが伝送制御データ復号器８１３で復号される。ヘッダ抽出部８１２で抽出されたパケットヘッダと、伝送制御データ復号器８１３で復号された伝送制御データとが比較器８１４で比較され、パケットヘッダの番組と指定された番組が一致した場合のみゲート８１５を開き、所望の番組のパケットのみが選択される。
【０００６】
ところで、ディジタル放送によるとサービス、番組の多種多様化が容易となり、そうなると、視聴者には、所望するサービス、番組を探したり、選択したり、主要な部分だけを視聴したりするのに大変な労力が要求される。例えば、野球、サッカー、相撲などのスポーツ番組などで、得点が入ったり、勝敗を決めるようなシーン、あるいは人気選手が登場するシーン等や、映画が面白いかどうかなどを判断する場合や、ニュース番組における重大ニュース、あるいは興味ある分野のニュースなどを視聴しようとすれば、番組の最初から視聴しなければならない。この視聴者側の労力を軽減するために、従来、受信側で、番組の映像あるいは、音声の信号変化などに基づいて、シーンチェンジなどを検出し、スポーツ番組などのダイジェスト版を編集記録する装置や方法が提案されている。この方法によれば、後で視聴したい番組を探したり、主要な部分のみ視聴したりすることができ、視聴者側の手間や労力が軽減される。
【０００７】
【発明が解決しようとする課題】
しかしながら、前述のようなダイジェスト版を編集記録する装置や方法では、映像や音声の信号変化に基づきシーンチェンジを検出しているので、信号変化の条件により自動的に決定されるため、例えば、不必要なシーンが多く含まれていたり、ポイントとなるシーンが入っていない等というように、必ずしも視聴者が期待するような番組内容のダイジェスト版になっていないことが多いという課題がある。
【０００８】
本発明は、従来のこのようなダイジェスト版を編集記録する装置や方法の課題を考慮し、視聴者が期待するような番組内容のダイジェスト版を記録することが可能なダイジェストデータ記録装置を提供することを目的とするものである。
【００１０】
【課題を解決するための手段】
請求項１の本発明は、入力された、番組データを識別するための番組情報及びダイジェストデータを抽出するためのダイジェスト情報を含む伝送制御データが付加され、多重符号化された受信データのパケットデータからパケットヘッダを抽出するヘッダ抽出手段と、所望する複数の番組及びそれら番組の各々のダイジェストデータの録画を指定する複数番組ダイジェスト録画指定手段と、その複数番組ダイジェスト録画指定手段の指定に基づいて、付加された伝送制御データの番組情報及びダイジェスト情報を復号する伝送制御データ復号手段と、その復号された番組情報及びダイジェスト情報と抽出されたパケットヘッダとを比較する比較手段と、その比較の結果、番組情報及びダイジェスト情報がパケットヘッダと一致する場合は、パケットデータを通過させるゲートと、そのゲートを通過したパケットデータを一時格納するバッファと、伝送制御データ復号手段からの番組情報に基づいて、バッファに格納されたパケットデータを番組毎に選別するパケット選別手段と、その選別されたパケットデータを番組毎に分別して記録する記録手段とを備えたダイジェストデータ記録装置である。
【００１１】
請求項３の本発明は、入力された、番組データを識別するための番組情報及びダイジェストデータを抽出するためのダイジェスト情報を含む伝送制御データが付加され、多重符号化された受信データのパケットデータからパケットヘッダを抽出するヘッダ抽出手段と、所望する番組の録画を指定する番組録画指定手段と、所望する番組のダイジェストデータの録画を指定するダイジェスト録画指定手段と、番組録画指定手段の指定に基づいて、付加された伝送制御データの番組情報及びダイジェスト情報を復号する伝送制御データ復号手段と、その復号された番組情報と抽出されたパケットヘッダとを比較する比較手段と、その比較の結果、番組情報が前記パケットヘッダと一致する場合は、パケットデータを通過させる第１のゲートと、その第１のゲートを通過したパケットデータを記録する第１の記録手段と、ダイジェスト録画指定手段の指定により、伝送制御データ復号手段で復号されたダイジェスト情報から、ダイジェストの録画時間を抽出するダイジェスト録画時間抽出手段と、その抽出されたダイジェストの録画時間に基づいて、第１のゲートを通過したパケットデータを通過させる第２のゲートと、その第２のゲートを通過したパケットデータを記録する第２の記録手段とを備えたダイジェストデータ記録装置である。
【００１２】
請求項４の本発明は、入力された、番組データを識別するための番組情報及びダイジェストデータを抽出するためのダイジェスト情報を含む伝送制御データが付加され、多重符号化された受信データのパケットデータからパケットヘッダを抽出するヘッダ抽出手段と、所望する番組の録画を指定する番組録画指定手段と、所望する番組のダイジェストデータの録画を指定するダイジェスト録画指定手段と、番組録画指定手段の指定に基づいて、付加された伝送制御データの番組情報及びダイジェスト情報を復号する伝送制御データ復号手段と、その復号された番組情報と抽出されたパケットヘッダとを比較する比較手段と、その比較の結果、番組情報がパケットヘッダと一致する場合は、パケットデータを通過させるゲートと、そのゲートを通過したパケットデータを記録する記録手段と、ダイジェスト録画指定手段の指定により、伝送制御データ復号手段で復号されたダイジェスト情報から、ダイジェストの録画時間を抽出するダイジェスト録画時間抽出手段と、その抽出されたダイジェストの録画時間を時系列に沿って蓄積する録画時間蓄積手段と、その蓄積されたダイジェストの録画時間に基づいて、記録手段に記録されたパケットデータからダイジェストデータを抽出するダイジェスト抽出手段とを備えたダイジェストデータ記録装置である。
【００１３】
請求項５の本発明は、入力された、番組データを識別するための番組情報及びダイジェストデータを抽出するためのダイジェスト情報を含む伝送制御データが付加され、多重符号化された受信データのパケットデータからパケットヘッダを抽出するヘッダ抽出手段と、所望する番組の録画を指定する番組録画指定手段と、所望する番組のダイジェストデータの録画を指定するダイジェスト録画指定手段と、番組録画指定手段の指定に基づいて、付加された伝送制御データの番組情報及びダイジェスト情報を復号する伝送制御データ復号手段と、その復号された番組情報と抽出されたパケットヘッダとを比較する比較手段と、その比較の結果、番組情報がパケットヘッダと一致する場合は、パケットデータを通過させる第１のゲートと、その第１のゲートを通過したパケットデータを一時蓄積するパケット蓄積手段と、ダイジェスト録画指定手段の指定により、伝送制御データ復号手段で復号されたダイジェスト情報から、ダイジェストの録画時間を抽出するダイジェスト録画時間抽出手段と、その抽出されたダイジェストの録画時間を調整する録画時間調整手段と、その調整されたダイジェストの録画時間に基づいて、パケット蓄積手段に蓄積されたパケットデータを通過させる第２のゲートと、その第２のゲートを通過したパケットデータを記録する記録手段とを備えたダイジェストデータ記録装置である。
【００１４】
【発明の実施の形態】
以下に、本発明および本発明に関連する発明をそれらの実施の形態を示す図面に基づいて説明する。
（第１の実施の形態）
図１は、本発明にかかる第１の実施の形態のダイジェストデータ記録装置を示す構成図である。このダイジェストデータ記録装置は、入力されたパケットデータを一時格納するパケットバッファ１０１、入力パケットからパケットヘッダを抽出するヘッダ抽出部１０２、ユーザの所望する番組の指定及びダイジェストの録画指定を行う番組ダイジェスト録画指定手段１０５、その番組ダイジェスト録画指定手段１０５の指定に基づき、その指定に対応する入力パケットに付加されている伝送制御データを復号する伝送制御データ復号器１０３、ヘッダ抽出部１０２で抽出されたパケットヘッダに含まれる情報と、伝送制御データ復号器１０３で復号された番組情報及びダイジェスト情報とを比較する比較器１０４、その比較器１０４での比較の結果、ヘッダ情報と番組及びダイジェスト情報が一致した場合に、パケットバッファ１０１に格納されたパケットデータを通過させるゲート１０６、及びゲート１０６を通過したパケットデータを記録する記録手段１０７により構成されている。
【００１５】
本発明では、送信側で、従来例で説明した番組とＰＩＤとの関係を規定するために用いる伝送制御データに、新たにダイジェスト情報を追加することを前提としている。具体的には例えば、ＭＰＥＧ−２システム（ＩＴＵ−ＴＨ．２２２．０，ＩＳＯ／ＩＥＣ１３８１８−１）に規定されているＰＳＩ（プログラム仕様情報）のＰＭＴ（プログラムマップテーブル）内の（ｄｅｓｃｒｉｐｔｏｒ）にダイジェスト情報を示す（ｄｅｓｃｒｉｐｔｏｒ）を追加し、ダイジェストの再生出力時刻のＯＮ及びＯＦＦを指定して再生出力の時刻管理情報を与える。
【００１６】
ＭＰＥＧ−２システムに規定されているＰＳＩには、ＰＭＴの他にＰＡＴ（プログラムアソシエーションテーブル）、ＣＡＴ（コンディショナルアクセステーブル）、ＮＩＴ（ネットワークインフォメーションテーブル）があり、ＭＰＥＧ−２では、これらの情報を効率よく受信・分離するためにセクション形式で伝送制御情報を伝送することを規定している。図９は、ＰＭＴにおけるプログラムマップセクションのデータ構成を示す図であり、番組番号９０１のエリアがチャンネルの各番組に相当し、記述子９０２の中にダイジェストｄｅｓｃｒｉｐｔｏｒを挿入する。このダイジェストｄｅｓｃｒｉｐｔｏｒの割当として、例えば、ｄｅｓｃｒｉｐｔｏｒの一覧を示す図１０の０ｘ４４−０ｘＦＤの範囲を指定しておき、図１１に示すダイジェストｄｅｓｃｒｉｐｔｏｒのデータ構成でダイジェストの再生出力時刻のＯＮ及びＯＦＦ（ｏｎ＿ＰＴＳ、ｏｆｆ＿ＰＴＳ）等を指定する。これにより、放送サービス側では、ディジタル多チャンネル化によって、番組間の競争激化が予想されるが、視聴者が望む情報を提供することで他番組との差別化が可能になるという利点がある。
【００１７】
次に、上記第１の実施の形態のダイジェストデータ記録装置の動作について、図面を参照しながら説明する。
【００１８】
まず、番組データを識別するための番組情報及びダイジェストデータを抽出するためのダイジェスト情報を含む伝送制御データが付加され、映像、音声データ等が符号化され多重化されたパケットデータは、受信されて復調された後、パケットバッファ１０１に一時格納されるとともに、パケットデータからパケットヘッダがヘッダ抽出部１０２により抽出される。また、ユーザからの番組及びダイジェスト録画の指示を受けて、番組ダイジェスト録画指定手段１０５は伝送制御データ復号器１０３に対して番組及びダイジェスト録画の指定を行う。そうすると、伝送制御データ復号器１０３は、指定された番組及びダイジェスト録画に対応する番組情報及びダイジェスト情報を伝送制御データから復号する。
【００１９】
次にヘッダ抽出部１０２で抽出されたヘッダ情報と、伝送制御データ復号器１０３で復号された情報とが比較器１０４で比較され、ヘッダ情報が番組情報及びダイジェスト情報、すなわち、指定された番組及びダイジェストの再生出力の時刻管理情報に合致した場合のみ、ゲート１０６を開く。このようにして、ゲート１０６を通過したパケットデータは、ダイジェストデータとしてディジタルＶＴＲ、光ディスク、ハードディスク、ＤＶＤ−ＲＡＭ等の記録媒体を用いた記録手段１０７に記録される。
（第２の実施の形態）
図２は、本発明にかかる第２の実施の形態のダイジェストデータ記録装置を示す構成図である。本実施の形態のダイジェストデータ記録装置の基本的な構成は前述の第１の実施の形態と同じであるので、パケットの入力からゲート１０６を通過するまでの説明を省略する。異なる点は、ゲート１０６を通過した後のダイジェストデータの記録方法に違いがある。すなわち、本実施の形態では、ゲート１０６からのダイジェストデータを復号器２０１により先に復号し、更にＤ／Ａ変換器２０２でアナログデータに変換した後、アナログ式の記録手段２０３に記録するものである。この方法によれば、記録手段２０３に従来のアナログ式の記録装置が使用できるので、新たにディジタル式の記録装置を用意する必要がなく、コストが低減できる。
（第３の実施の形態）
図３は、本発明にかかる第３の実施の形態のダイジェストデータ記録装置を示す構成図である。このダイジェストデータ記録装置は、ユーザが所望する番組全編の録画を行うための構成として、入力されたパケットデータを一時格納するパケットバッファ１０１、入力パケットからパケットヘッダを抽出するヘッダ抽出部１０２、ユーザの所望する番組の録画指定を行う番組録画指定手段３０１、その番組録画指定手段３０１の指定に基づき、その指定に対応する入力パケットに付加されている伝送制御データを復号する伝送制御データ復号器３０２、ヘッダ抽出部１０２で抽出されたヘッダ情報と、伝送制御データ復号器１０３で復号された番組情報とを比較する比較器３０３、その比較器３０３での比較の結果、ヘッダ情報と番組情報が一致した場合に、パケットバッファ１０１に格納されたパケットデータを通過させる第１ゲート３０４、及び第１ゲート３０４を通過したパケットデータを記録する第１記録手段３０５が設けられている。従って、第１記録手段３０５には番組全編が記録されることになる。
【００２０】
また、ダイジェストデータのみを録画する構成として、ユーザがダイジェスト録画を所望した場合に、番組録画指定手段３０１から番組情報を受けて、その番組のダイジェスト録画の指定を行うダイジェスト録画指定手段３０６、伝送制御データ復号器３０２から、復号された当該番組のダイジェスト情報を受けて、ダイジェスト録画指定手段３０６の指定に基づき、ダイジェスト録画時間を抽出するダイジェスト録画時間抽出手段３０７、そのダイジェスト録画時間抽出手段３０７で抽出されたダイジェストの録画時間に基づいて、第１ゲート３０４を通過した当該番組のパケットデータを通過させる第２ゲート３０８、及び第２ゲート３０８を通過したパケットデータのみを記録する第２記録手段３０９が設けられている。
【００２１】
次に、上記第３の実施の形態のダイジェストデータ記録装置の動作について、図面を参照しながら説明する。
【００２２】
まず、番組情報及びダイジェスト情報を含む伝送制御データが付加され、映像、音声データ等が符号化され多重化されたパケットデータは、受信されて復調された後、パケットバッファ１０１に一時格納されるとともに、パケットヘッダがヘッダ抽出部１０２により抽出される。また、ユーザからの番組及びダイジェスト録画の指示を受けて、それぞれ、番組録画指定手段３０１は伝送制御データ復号器３０２に対して番組指定を行い、ダイジェスト録画指定手段３０６はダイジェスト録画時間抽出手段３０７に対してダイジェスト録画の指定を行う。そうすると、伝送制御データ復号器３０２は、指定された番組録画に対応する番組情報及びダイジェスト情報を伝送制御データから復号し、ダイジェスト情報をダイジェスト録画時間抽出手段３０７へ送る。
【００２３】
次にヘッダ抽出部１０２で抽出されたヘッダ情報と、伝送制御データ復号器３０２で復号された番組情報とが比較器３０３で比較され、ヘッダ情報が指定された番組に合致した場合のみ、第１ゲート３０４を開く。第１ゲート３０４を通過したパケットデータは、番組データとして番組全編がディジタルＶＴＲ、光ディスク、ハードディスク、ＤＶＤ−ＲＡＭ等の記録媒体を用いた第１記録手段３０５に記録される。
【００２４】
一方、ダイジェスト録画を指定され、伝送制御データ復号器３０２からダイジェスト情報を受け取ったダイジェスト録画時間抽出手段３０７は、それら情報に基づいて、その番組のどの部分からどの部分までをダイジェストとして録画するか、すなわち、ダイジェスト版の録画開始時間と録画終了時間とを抽出し、その抽出した時間情報に従って、第２ゲート３０８を開く。第２ゲート３０８を通過したパケットデータは、第１記録手段３０５に記録された番組のダイジェストデータとしてディジタルＶＴＲ、光ディスク、ハードディスク、ＤＶＤ−ＲＡＭ等の記録媒体を用いた第２記録手段３０９に記録される。
【００２５】
このように、本実施の形態では、ダイジェスト版の録画と同時に番組全編を録画しているので、ダイジェスト版を見た後、更に、その前後も少し見たい場合、あるいは、全編を通して見たい場合などに対応できる。
【００２６】
なお、第１記録手段３０５及び第２記録手段３０９は、別々の装置として設けてもよいが、１つ装置を領域を分割して用いてもよい。
【００２７】
また、第１記録手段３０５及び第２記録手段３０９を、別々の装置で構成する場合は、第１記録手段３０５を長時間録画に最適なテープ系あるいは光ディスク系とし、第２記録手段３０９を高速アクセス可能なハードディスク系などとすれば、より好適である。
（第４の実施の形態）
図４は、本発明にかかる第４の実施の形態のダイジェストデータ記録装置を示す構成図である。図４において、前述の図３と同一の番号を付与したものは同一機能のものであり、説明を省略する。尚、記録手段４０１は図３の第１記録手段３０５と同等のものである。
【００２８】
本実施の形態のダイジェストデータ記録装置では、パケットデータが入力されてから記録手段４０１に指定された番組の全編が録画されるまでと、伝送制御データが復号されてダイジェスト録画時間が抽出されるまでの動作は、前述の第３の実施の形態と同様である。
【００２９】
図４において、録画時間蓄積手段４０２は、ダイジェスト録画時間抽出手段３０７により抽出されてくるダイジェスト録画時間を時系列に沿って、メモリなどに蓄積するものであり、ダイジェスト抽出手段４０３は、内部にバッファを持ち、録画時間蓄積手段４０２に蓄積された複数のダイジェスト録画時間に基づいて、記録手段４０１に録画された全編番組データからダイジェストデータを抽出してバッファに一旦蓄積しながら連続的にダイジェストデータを出力するものである。これにより、ダイジェスト版を連続して短時間に見ることができる。尚、記録手段４０１としては、高速なデータアクセスが可能な長時間蓄積用ハードディスクなどが適している。
（第５の実施の形態）
図５は、本発明にかかる第５の実施の形態のダイジェストデータ記録装置を示す構成図である。図５において、前述の図４と同一の番号を付与したものは同一機能のものであり、説明を省略する。
【００３０】
本実施の形態のダイジェストデータ記録装置では、パケットデータが入力されてから第１ゲート３０４を通過するまでと、伝送制御データが復号されてダイジェスト録画時間が抽出されるまでの動作は、前述の第４の実施の形態と同様である。
【００３１】
図５において、パケット蓄積手段５０１は、メモリあるいはハードディスクなどの高速アクセス可能な蓄積手段で構成され、数秒〜数十秒程度のパケットデータを蓄積する。録画時間調整手段５０２は、ダイジェスト録画時間抽出手段３０７からの録画時間情報に基づいて、ダイジェストデータの録画開始時間を数秒〜数十秒程度、前にずらすためのものである。
【００３２】
この構成により、第２ゲート３０８は、伝送制御データとして送られてくるダイジェスト録画開始時間より数秒〜数十秒程度早い時間から、パケット蓄積手段５０１に蓄積されたデータを通過させるので、記録手段１０７には、抽出されたダイジェスト録画時間に対応するダイジェストデータよりも、数秒〜数十秒程度前のデータを含めて録画される。
【００３３】
このようにすれば、ダイジェスト情報の提供される番組が、例えば、生番組のスポーツ中継などであった場合に、送信側でのダイジェスト情報挿入に数秒の遅れが生じ、決定的シーンが入っていないことがあっても、ダイジェスト情報により示される録画開始時間の数秒〜数十秒前からのダイジェストデータが録画されているので、通常であれば見落としてしまう部分を見ることができる。また、生番組でなくとも、受信側でダイジェストデータの録画時間を長くしたい場合に使用できる。更に、録画時間調整手段５０２における録画時間の調整を変更可能な構成とすれば、必要に応じて録画時間を長くしたり、短くしたりすることができ、ユーザの希望に柔軟に対応できる。
（第６の実施の形態）
図６は、本発明にかかる第６の実施の形態のダイジェストデータ記録装置を示す構成図である。本実施の形態は、前述した図１のダイジェストデータ記録装置おいて、複数番組に対応できる構成としたものである。すなわち、多チャンネル時代で、例えば複数の野球中継番組などをダイジェスト版で見たいような場合、しかも見たい番組が複数、時間的に重なっているような場合に、各番組のダイジェスト版を同時に記録可能とする。
【００３４】
図６において、複数番組ダイジェスト録画指定手段６０１は、ユーザが所望する複数の番組及びそれら番組のダイジェスト録画を指定して、その情報を伝送制御データ復号器６０４に送る。伝送制御データ復号器６０４は、その情報に基づいて、入力パケットの伝送制御データを復号し、復号した情報を比較器１０４に送るとともに、番組情報をパケット選別手段６０３に送る。
【００３５】
比較器１０４は、図１の場合と同様にヘッダ抽出部１０２で抽出されたヘッダ情報と伝送制御データ復号器６０４からの情報とを比較し、ヘッダ情報と番組情報及びダイジェスト情報が一致した場合のみゲート１０６を開く。このとき、ゲート１０６を通過したパケットデータは、当然番組毎ではなく、入力された順番でバッファ６０２に一時蓄積される。すなわち、複数の番組が指定されているため、ゲート１０６を通過してバッファ６０２に蓄積されるパケットは、時系列順に蓄積され、番組がバラバラな状態で蓄積されていく。
【００３６】
パケット選別手段６０３は、伝送制御データ復号器６０４からの番組情報に基づいて、バッファ６０２から番組毎にパケットを選別して記録手段１０７に、ダイジェストデータを分別して録画する。これにより、同時に複数の番組のダイジェスト録画が指示され、複数番組のパケットが同時に入力される場合にも対応できる。
【００３７】
以上のように、本発明によれば、ユーザの視聴時間は限られているが、複数の見たい放送を短時間で楽しむことができ、あるいは、ダイジェストデータを検索することによって、見たいシーンや番組を選択できる。
【００３８】
なお、上記各実施の形態のいずれかのダイジェストデータ記録装置を、例えば、図７の受信側の多重信号の分離部７１３に付加することにより、本発明で説明した機能を持つディジタル放送受信装置を構成でき、ディジタル放送の多チャンネル化に対応できる。
【００３９】
【発明の効果】
以上述べたところから明らかなように本発明は、送信側で伝送制御データに付加されたダイジェスト情報に基づいて、受信側でパケットデータの通過を制御することによって、視聴者が期待するような番組内容のダイジェスト版を記録することができるという長所を有する。
【図面の簡単な説明】
【図１】本発明にかかる第１の実施の形態のダイジェストデータ記録装置を示す構成図である。
【図２】本発明にかかる第２の実施の形態のダイジェストデータ記録装置を示す構成図である。
【図３】本発明にかかる第３の実施の形態のダイジェストデータ記録装置を示す構成図である。
【図４】本発明にかかる第４の実施の形態のダイジェストデータ記録装置を示す構成図である。
【図５】本発明にかかる第５の実施の形態のダイジェストデータ記録装置を示す構成図である。
【図６】本発明にかかる第６の実施の形態のダイジェストデータ記録装置を示す構成図である。
【図７】従来のディジタル放送システムのブロック図である。
【図８】従来のディジタル放送システムにおける伝送制御を説明するためのブロック図である。
【図９】ＭＰＥＧ−２システムに規定されるプログラムマップセクションのデータ構成を示す図である。
【図１０】ＭＰＥＧ−２システムに規定されるｄｅｓｃｒｉｐｔｏｒ一覧を示す図である。
【図１１】本発明におけるダイジェストｄｅｓｃｒｉｐｔｏｒのデータ構成を示す図である。
【符号の説明】
１０１  パケットバッファ
１０２  ヘッダ抽出部
１０３  伝送制御データ復号器
１０４  比較器
１０５  番組ダイジェスト録画指定手段
１０７  記録手段
２０１  復号器
３０１  番組録画指定手段
３０６  ダイジェスト録画指定手段
３０７  ダイジェスト録画時間抽出手段
４０２  録画時間蓄積手段
４０３  ダイジェスト抽出手段
５０１  パケット蓄積手段
５０２  録画時間調整手段
６０１  複数番組ダイジェスト録画指定手段
６０３  パケット選別手段
【図１】
0003590252.tif 000002
【図２】
0003590252.tif 000003
【図３】
0003590252.tif 000004
【図４】
0003590252.tif 000005
【図５】
0003590252.tif 000006
【図６】
0003590252.tif 000007
【図７】
0003590252.tif 000008
【図８】
0003590252.tif 000009
【図９】
0003590252.tif 000010
【図１０】
0003590252.tif 000011
【図１１】
0003590252.tif 000012